(57)【要約】【課題】画像データの内容に応じて、バックライトの点灯時間を動的に制御し、ユーザに対する操作の利便性を向上する。【解決手段】画像データを表示するＬＣＤ１１６と、所定の時間、ＬＣＤ１１６を点灯するＬＣＤバックライト１７とを含む。画像データ、及び、ＬＣＤバックライト１１７の点灯時間を所定の時間と異なる時間に再設定するための点灯時間再調整情報を記憶する記憶部１１２と、画像データを選択する操作部１１１と、選択された画像データを解析する画像解析部１１５と、点灯時間再調整情報及び解析結果に応じて、バックライト部の点灯時間を設定する制御部１１３とを備え、制御部１１３は、設定された点灯時間、バックライト部を点灯させる。【選択図】図１
2014132282.tif 000002
【特許請求の範囲】
【請求項１】
画像データを表示する表示部と、所定の時間、前記表示部を点灯するバックライト部とを含む画像表示装置であって、
前記画像データ、及び、前記バックライト部の点灯時間を前記所定の時間と異なる時間に再設定するための点灯時間再調整情報を記憶する記憶部と、
前記記憶されている前記画像データを選択する操作部と、
前記選択された前記画像データを解析する画像解析部と、
前記点灯時間再調整情報及び前記解析結果を基に、前記バックライト部の点灯時間を設定する制御部と、を備え、
前記制御部は、前記設定された点灯時間、前記バックライト部を点灯させる画像表示装置。
【請求項２】
請求項１に記載の画像表示装置であって、
前記画像解析部は、前記選択された前記画像データから被写体人物の顔を検出し、
前記制御部は、前記点灯時間再調整情報及び前記検出された前記被写体人物の顔の数を基に、前記バックライト部の点灯時間を判定する画像表示装置。
【請求項３】
請求項２に記載の画像表示装置であって、
前記制御部は、前記選択された前記画像データに前記被写体人物の顔が検出されない場合、前記バックライト部の点灯時間を、前記所定の時間と判定する画像表示装置。
【請求項４】
請求項１に記載の画像表示装置であって、
前記画像データは、当該画像データに写っている被写体人物の人物名情報をヘッダ領域に含み、
前記画像解析部は、前記選択された前記画像データの前記ヘッダ領域から前記人物名情報を検出し、
前記制御部は、前記点灯時間再調整情報及び前記検出された前記人物名情報の数を基に、前記バックライト部の点灯時間を判定する画像表示装置。
【請求項５】
請求項４に記載の画像表示装置であって、
前記制御部は、前記選択された前記画像データの前記ヘッダ領域から前記人物名情報が検出されない場合、前記バックライト部の点灯時間を、前記所定の時間と判定する画像表示装置。
【請求項６】
請求項１に記載の画像表示装置であって、
前記記憶部は、前記画像データに対するユーザのお気に入り度を表す画像データ管理情報を記憶し、
前記画像解析部は、前記選択された前記画像データに対するユーザのお気に入り度を、前記画像データ管理情報を基に検出し、
前記制御部は、前記点灯時間再調整情報及び前記検出された前記お気に入り度を基に、前記バックライト部の点灯時間を判定する画像表示装置。
【請求項７】
請求項６に記載の画像表示装置であって、
前記制御部は、前記選択された前記画像データに対するユーザのお気に入り度がゼロである場合、前記バックライト部の点灯時間を、前記所定の時間と判定する画像表示装置。
【請求項８】
請求項１に記載の画像表示装置であって、
前記画像解析部は、前記選択された前記画像データのブレ度合い又はボケ度合いを検出し、
前記制御部は、前記点灯時間再調整情報及び前記検出された前記ブレ度合い又はボケ度合いを基に、前記バックライト部の点灯時間を判定する画像表示装置。
【請求項９】
請求項８に記載の画像表示装置であって、
前記制御部は、前記選択された前記画像データに前記ブレ度合い及びボケ度合いが検出されない場合、前記バックライト部の点灯時間を、前記所定の時間と判定する画像表示装置。
【請求項１０】
請求項１に記載の画像表示装置であって、
前記画像データは、当該画像データに写っている人物の人物名情報をヘッダ領域に含み、
前記記憶部は、前記画像データに対するユーザのお気に入り度を表す画像データ管理情報を記憶し、
前記画像解析部は、前記選択された前記画像データから人物の顔及びブレ度合い若しくはボケ度合いを、前記ヘッダ領域から前記人物名情報を、更に、前記選択された前記画像データに対するユーザのお気に入り度を、それぞれ検出し、
前記制御部は、前記検出された各パラメータを基に、前記点灯時間再調整情報を基に定まる再調整後の前記バックライト部の点灯時間のうち最長の点灯時間を、前記バックライト部の点灯時間として判定する画像表示装置。
【請求項１１】
請求項１０に記載の画像表示装置であって、
前記制御部は、前記検出された各パラメータのうち前記ブレ度合い若しくはボケ度合いを検出した場合、前記ブレ度合い若しくは前記ボケ度合いを基に、前記バックライト部の点灯時間を判定する画像表示装置。
【請求項１２】
請求項１に記載の画像表示装置であって、
前記記憶部は、前記点灯時間再調整情報及び前記解析結果に応じて前記バックライト部の点灯時間の設定を有効又は無効とするための点灯時間設定可否情報を記憶し、
前記制御部は、前記点灯時間設定可否情報に応じて、前記バックライト部の点灯時間を設定する画像表示装置。
【請求項１３】
請求項１に記載の画像表示装置であって、
前記制御部は、前記操作部により他の画像データが選択された場合、前記点灯時間再調整情報及び前記解析結果を基に設定された点灯時間を、前記所定の時間に初期化する画像表示装置。
【請求項１４】
請求項１に記載の画像表示装置であって、
前記記憶部は、所定の圧縮形式で圧縮された画像データを記憶し、
前記操作部により選択された前記圧縮された画像データをデコードする画像デコード部と、を更に備える画像表示装置。
【請求項１５】
画像データを表示する表示部と、所定の時間、前記表示部を点灯するバックライト部とを含む画像表示装置における画像表示方法であって、
前記表示部に表示される画像として選択された画像データを解析するステップと、
前記バックライト部の点灯時間を前記所定の時間と異なる時間に再設定するための点灯時間再調整情報及び前記選択された画像データの解析結果に応じて、前記バックライト部の点灯時間を判定するステップと、
前記判定された点灯時間、前記バックライト部を点灯させるステップと、を備える画像表示方法。
【請求項１６】
画像データを表示する表示部と、所定の時間、前記表示部を点灯するバックライト部とを含むコンピュータに、
前記表示部に表示される画像として選択された画像データを解析するステップと、
前記バックライト部の点灯時間を前記所定の時間と異なる時間に再設定するための点灯時間再調整情報及び前記選択された画像データの解析結果に応じて、前記バックライト部の点灯時間を判定するステップと、
前記判定された点灯時間、前記バックライト部を点灯させるステップと、を実現させるためのプログラム。
【発明の詳細な説明】
【技術分野】
【０００１】
本発明は、バックライトの点灯時間を設定する画像表示装置、画像表示方法及びプログラムに関する。
【背景技術】
【０００２】
携帯電話機等の電子機器における一機能に、撮影した写真等の画像データを画面に表示する画像ビューア機能がある。この画像ビューア機能を使用する場合、ユーザは、表示された画像データを閲覧した後、他の画像データへ表示切替する等の操作を行った上で閲覧する。
【０００３】
画像データが画面に表示されている状態において、上述した様なユーザの操作が一定時間の間にされないと、電子機器に設けられているＬＣＤ（Liquid Crystal Display）のバックライトであるＬＣＤバックライトは、直接消灯するか、又は微点灯した後に消灯する。なお、この一定時間は、電子機器において予め設定されたＬＣＤバックライトの点灯時間である。
【０００４】
従って、ユーザが画像ビューア機能を用いて画像データを観ている場合、何かしらのキー操作が行われないと、ユーザが画像データを見終えたか否かに拘わらず、電子機器における省電力制御機能のため、ＬＣＤバックライトが直接消灯し、又は微点灯した後に消灯していた。
【０００５】
電子機器のバックライトの点灯を制御するものとして、例えば、特許文献１及び特許文献２が知られている。
【０００６】
特許文献１の携帯電話機は、ＬＣＤを備え、ＬＣＤに表示される文字のフォントサイズと文字のデータ量とに基づいて、ＬＣＤバックライトを点灯させる時間を決定する。この携帯電話機は、フォントサイズが小さく且つ文字のデータ量が大きくなると、バックライト点灯時間を長く設定する。これにより、文字の視認性と表示するデータ量とを考慮してＬＣＤバックライトを点灯させる時間を決定することができる。
【０００７】
特許文献２の無線電話装置は、バックライトを光らせる時間を、無線回線を介してアクセスしたサーバから情報を入手する情報受信モードが選択されていると判別した場合に、第１の時間より長い第２の時間に設定する。これにより、ユーザの選択した機能に対応して最適にバックライト点灯時間を制御し、操作性の向上及び電池の長寿命化を図ることができる。
【先行技術文献】
【特許文献】
【０００８】
【特許文献１】特許第３９０８７４０号公報
【特許文献２】特許第４０２４４４４号公報
【発明の概要】
【発明が解決しようとする課題】
【０００９】
しかしながら、上述した特許文献１及び特許文献２においては、写真等の画像データの内容に応じて、バックライトの点灯時間を動的に制御することは困難であると考えられる。例えば複数人が写っている集合写真等の画像データを何人かで閲覧する場合、電子機器を何人かで持ち替える等の動作が必要となり、予め設定されたバックライト点灯時間では持ち替え中にバックライトが消灯することがある。その度に、ユーザは、キー操作又はタッチ操作等を行い、バックライトを点灯しなおす等の作業が必要だった。
【００１０】
本発明は、上述した従来の事情に鑑みてなされたものであり、画像データの内容に応じて、バックライトの点灯時間を動的に制御し、ユーザに対する操作の利便性を向上する画像表示装置、画像表示方法及びプログラムを提供することを目的とする。
【課題を解決するための手段】
【００１１】
本発明は、上述した画像表示装置であって、画像データを表示する表示部と、所定の時間、前記表示部を点灯するバックライト部とを含む画像表示装置であって、前記画像データ、及び、前記バックライト部の点灯時間を前記所定の時間と異なる時間に再設定するための点灯時間再調整情報を記憶する記憶部と、前記記憶されている前記画像データを選択する操作部と、前記選択された前記画像データを解析する画像解析部と、前記点灯時間再調整情報及び前記解析結果に応じて、前記バックライト部の点灯時間を設定する制御部と、を備え、前記制御部は、前記設定された点灯時間、前記バックライト部を点灯させる。
【００１２】
また、本発明は、上述した画像表示方法であって、画像データを表示する表示部と、所定の時間、前記表示部を点灯するバックライト部とを含む画像表示装置における画像表示方法であって、前記表示部に表示される画像として選択された画像データを解析するステップと、前記バックライト部の点灯時間を前記所定の時間と異なる時間に再設定するための点灯時間再調整情報及び前記選択された画像データの解析結果に応じて、前記バックライト部の点灯時間を設定するステップと、前記設定された点灯時間、前記バックライト部を点灯させるステップと、を備える。
【００１３】
また、本発明は、上述したプログラムであって、画像データを表示する表示部と、所定の時間、前記表示部を点灯するバックライト部とを含むコンピュータに、前記表示部に表示される画像として選択された画像データを解析するステップと、前記バックライト部の点灯時間を前記所定の時間と異なる時間に再設定するための点灯時間再調整情報及び前記選択された画像データの解析結果に応じて、前記バックライト部の点灯時間を設定するステップと、前記設定された点灯時間、前記バックライト部を点灯させるステップと、を実現させる。
【００１４】
上述した構成によれば、画像データの内容に応じて、バックライトの点灯時間を動的に制御し、ユーザに対する操作の利便性を向上することができる。
【発明の効果】
【００１５】
本発明によれば、画像データの内容に応じて、バックライトの点灯時間を動的に制御し、ユーザに対する操作の利便性を向上することができる。
【図面の簡単な説明】
【００１６】
【図１】実施の形態１の画像表示装置のハードウェア構成を表すブロック図
【図２】画像データ管理情報の一例をテーブル形式で表した説明図
【図３】点灯時間再調整情報の一例をテーブル形式で表した説明図
【図４】実施の形態１の画像表示装置の第１の動作例を説明するフローチャート
【図５】実施の形態１の画像表示装置の第２の動作例を説明するフローチャート
【図６】実施の形態１の画像表示装置の第３の動作例を説明するフローチャート
【図７】実施の形態１の画像表示装置の第４の動作例を説明するフローチャート
【図８】実施の形態１の画像表示装置の第５の動作例を説明するフローチャート
【発明を実施するための形態】
【００１７】
以下、本発明に係る画像表示装置の各実施の形態について、図面を参照して説明する。各実施の形態においては、本発明に係る画像表示装置は、携帯電話機、スマートフォン、ＰＤＡ（personal digital assistant）、ノートＰＣ（personal computer）、デジタルスチルカメラ又は電子書籍端末等が該当する。
【００１８】
なお、本発明は、画像表示装置、又は画像表示装置をコンピュータとして動作させるためのプログラムとして表現することも可能である。更に、本発明は、画像表示装置により実行される処理（ステップ）を含む方法として表現することも可能である。即ち、本発明は、装置、方法及びプログラムのうちいずれのカテゴリーでも表現可能である。
【００１９】
（実施の形態１）
実施の形態１の画像表示装置１００の構成及び動作について、図１〜図８を参照して説明する。
【００２０】
実施の形態１では、画像表示装置は、画像データを表示する表示部としてのＬＣＤと、所定の時間、表示部を点灯するバックライト部としてのＬＣＤバックライトとを含む構成である。以下、この所定の時間を「初期点灯時間」という。
【００２１】
実施の形態１では、画像表示装置は、表示部に表示される画像として選択された画像データを解析し、バックライト部の点灯時間を所定の時間とは異なる時間に再設定するための点灯時間再調整情報及び解析結果を基に、バックライト部の点灯時間を判定する。更に、画像表示装置は、判定された点灯時間、バックライト部を点灯させる。
【００２２】
図１は、実施の形態１の画像表示装置１００のハードウェア構成の一例を表すブロック図である。画像表示装置１００は、図１に表す様に、操作部１１１、記憶部１１２、制御部１１３、画像デコード部１１４、画像解析部１１５、表示部としてのＬＣＤ１１６、バックライト部としてのＬＣＤバックライト１１７、ＲＯＭ１１８及びＲＡＭ１１８を含む構成である。
【００２３】
操作部１１１は、ユーザが画像表示装置１００に対する操作を入力するためのユーザインタフェースであり、ユーザの操作内容に応じた操作信号を制御部１１３に出力する。例えば、操作部１１１は、ユーザが記憶部１１２に記憶されている複数の画像データから特定の画像データをＬＣＤ１１６に表示するために選択した場合、ユーザの操作に応じた画像選択信号を制御部１１３に出力する。
【００２４】
操作部１１１は、例えば、画像表示装置１００が携帯電話機である場合には、電話番号等を入力するテンキー、オンフック又はオフフックを行う通話器キー及びファンクションキー等の各種キーで構成可能である。また、操作部１１１は、ＬＣＤ１１６の上に配置され、ユーザの指又はスタイラスペン等による入力操作を受け付け可能なタッチパネル等で構成されても良い。
【００２５】
記憶部１１２は、画像表示装置１００に内蔵されるハードディスク又はフラッシュメモリ等で構成され、複数の画像データ、及び、点灯時間再調整情報（図２参照）を記憶している。なお、画像データは、画像表示装置１００にカメラ機能が搭載されている場合に画像表示装置１００により撮影されたもの、又は、他の電子機器（例えばデジタルスチルカメラ等）により撮影されて画像表示装置１００にインポートされたものでも良い。
【００２６】
記憶部１１２に記憶されている画像データは、所定の圧縮形式で圧縮されている画像データでも良く、圧縮されていない画像データでも良い。画像データが圧縮されているか否かを表す情報が、画像データのヘッダ領域に記憶されている、もしくはファイル名の拡張子でデコード方式を判断できることが好ましい。
【００２７】
なお、制御部１１３は、記憶部１１２から画像データを読み出した場合に、画像データのヘッダ領域から画像データが圧縮されているか否かを検出する。制御部１１３は、画像データが圧縮されていると判定した場合に、画像データを画像デコード部１１４に出力する。制御部１１３は、画像データが圧縮されていないと判定した場合に、画像データを画像解析部１１５に出力する。
【００２８】
なお、記憶部１１２に記憶されている画像データのヘッダ領域には、当該画像データがユーザのお気に入りであることを表す情報、及び、被写体が人物である場合における被写体人物の名前が含まれていることが好ましい。被写体を撮影する撮影部を有する画像表示装置１００又は他の電子機器が撮影した画像データのヘッダ領域に被写体人物名を含ませる方法は既に知られており、例えば特許第４４７０８４８号公報に開示されている方法を適用可能である。
【００２９】
更に、記憶部１１２は、記憶されている画像データ毎に当該画像データがユーザのお気に入りであるか否かを表す画像データ管理情報（図２）を記憶している。
【００３０】
図２は、画像データ管理情報１３０の一例をテーブル形式で表した説明図である。画像データ管理情報１３０は、画像データを識別するための画像データＩＤと、当該画像データに対するユーザのお気に入り度との各項目を含む構成である。
【００３１】
図２の画像データ管理情報１３０において、画像データＩＤ「００１」の画像データに対するユーザのお気に入り度は「１」である。同様に、画像データＩＤ「００２」の画像データに対するユーザのお気に入り度は「３」である。同様に、画像データＩＤ「００３」の画像データに対するユーザのお気に入り度は「２」である。同様に、画像データＩＤ「００４」の画像データに対するユーザのお気に入り度は「０」である。
【００３２】
図３は、点灯時間再設定情報１４０の一例をテーブル形式で表した説明図である。点灯時間再設定情報１４０は、各パラメータに応じて、ＬＣＤバックライト１１７の点灯時間を初期点灯時間と異なる時間に再設定するための情報である。パラメータには、例えば、顔検出数、被写体人物名、ブレボケ度、お気に入り度であるが、これらに限定されない。
【００３３】
図３の点灯時間再設定情報１４０において、パラメータ「顔」の検出数が「０」である場合には、ＬＣＤバックライト１１７の点灯時間は「初期点灯時間」［秒］に維持される。同様に、パラメータ「顔」の検出数が「１」である場合には、ＬＣＤバックライト１１７の点灯時間は、「初期点灯時間＋３」［秒］に再設定される。同様に、パラメータ「顔」の検出数が「２」である場合には、ＬＣＤバックライト１１７の点灯時間は、「初期点灯時間＋６」［秒］に再設定される。同様に、パラメータ「顔」の検出数が「３」である場合には、ＬＣＤバックライト１１７の点灯時間は、「初期点灯時間＋９」［秒］に再設定される。
【００３４】
図３の点灯時間再設定情報１４０において、パラメータ「被写体人物名」が「０」である場合には、ＬＣＤバックライト１１７の点灯時間は「初期点灯時間」［秒］に維持される。同様に、パラメータ「被写体人物名」が「１」である場合には、ＬＣＤバックライト１１７の点灯時間は、「初期点灯時間＋３」［秒］に再設定される。同様に、パラメータ「被写体人物名」が「２」である場合には、ＬＣＤバックライト１１７の点灯時間は、「初期点灯時間＋８」［秒］に再設定される。同様に、パラメータ「被写体人物名」が「３」である場合には、ＬＣＤバックライト１１７の点灯時間は、「初期点灯時間＋１２」［秒］に再設定される。
【００３５】
図３の点灯時間再設定情報１４０において、パラメータ「お気に入り度」が「０」である場合には、ＬＣＤバックライト１１７の点灯時間は「初期点灯時間」［秒］に維持される。同様に、パラメータ「お気に入り度」が「１」である場合には、ＬＣＤバックライト１１７の点灯時間は、「初期点灯時間＋２」［秒］に再設定される。同様に、パラメータ「お気に入り度」が「２」である場合には、ＬＣＤバックライト１１７の点灯時間は、「初期点灯時間＋４」［秒］に再設定される。同様に、パラメータ「お気に入り度」が「３」である場合には、ＬＣＤバックライト１１７の点灯時間は、「初期点灯時間＋６」［秒］に再設定される。
【００３６】
図３の点灯時間再設定情報１４０において、パラメータ「ブレボケ度」が「０」である場合には、ＬＣＤバックライト１１７の点灯時間は「初期点灯時間」［秒］に維持される。同様に、パラメータ「ブレボケ度」が「１」である場合には、ＬＣＤバックライト１１７の点灯時間は、「初期点灯時間−１」［秒］に再設定される。同様に、パラメータ「ブレボケ度」が「２」である場合には、ＬＣＤバックライト１１７の点灯時間は、「初期点灯時間−２」［秒］に再設定される。同様に、パラメータ「ブレボケ度」が「３」である場合には、ＬＣＤバックライト１１７の点灯時間は、「初期点灯時間−３」［秒］に再設定される。
【００３７】
なお、パラメータ「ブレボケ度」が「１以上」である場合において、図３の点灯時間再設定情報１４０では初期点灯時間から所定時間を減算する例を説明しているが、初期点灯時間が維持されても良い。
【００３８】
更に、記憶部１１２は、点灯時間再調整情報１４０及び画像解析部１１５の解析結果を基にＬＣＤバックライト１１７の点灯時間の設定を有効又は無効とするための点灯時間設定可否情報を記憶している。例えば、ＬＣＤバックライト１１７の点灯時間は、ユーザの操作に応じて操作部１１１からの操作信号に応じて有効又は無効に設定される。
【００３９】
制御部１１３は、画像表示装置１００に内蔵されるＣＰＵ（central processing unit）等で構成され、画像表示装置１００の各部の動作を制御する。例えば、制御部１１３は、操作部１１１により出力された画像選択信号に応じて、画像選択信号に応じた画像データを記憶部１１２から読み出す。
【００４０】
また、制御部１１３は、点灯時間再調整情報１４０（図３参照）及び後述する画像解析部１１５の解析結果を基に、ＬＣＤバックライト１１７の点灯時間を判定し、判定された点灯時間をＬＣＤバックライト１１７の点灯時間として再設定する。
【００４１】
制御部１１３は、各種の制御の際に、ＲＡＭ１１９又は記憶部１１２に情報若しくはデータを記憶し、又は記憶している情報若しくはデータを用いて情報処理を行う。また、制御部１１３は、内部時計を含み、内部時計からの出力に応じて、設定された点灯時間の経過後に、ＬＣＤバックライト１１７を直接消灯し又は微点灯した後に消灯する。
【００４２】
なお、内部時計は、例えば画像表示装置１００をコンピュータとして動作させるＯＳ（Operating System）の機能の一つであり、画像表示装置１００のシステムクロック（時計）である。
【００４３】
画像デコード部１１４は、制御部１１３から出力された画像データをデコード（伸長）し、デコードされた画像データを制御部１１３に出力する。
【００４４】
画像解析部１１５は、制御部１１３から出力されたデコード済みの画像データ又は圧縮されていない画像データを画像解析する。画像解析部１１５は、画像解析結果を制御部１１３に出力する。本実施の形態における画像解析部１１５の動作内容を具体的に説明する。
【００４５】
画像解析部１１５は、画像データから被写体人物の顔を検出し、又は、画像データにおいて所定量のブレ度合い若しくはボケ度合いを検出する。画像解析部１１５は、画像解析結果のパラメータとして、検出された被写体人物の顔の数、又は、ブレ度合い若しくはボケ度合いを制御部１１３に出力する。
【００４６】
なお、画像データから被写体人物の顔を検出する方法は既に知られており、例えば特許第４０４３９７３号公報又は特許第４３２９３９８号公報に開示されている方法を適用可能である。
【００４７】
更に、画像データにおいて所定のブレ度合い若しくはボケ度合いを検出する方法は既に知られており、例えば特開２００５−３３２３８１号公報に開示されている方法を適用可能である。なお、ブレ度合い若しくはボケ度合いにおいて、どの程度のブレ度合い若しくはボケ度合いが１、２、３、…等の数値で表現されるかは、予め画像解析部１１５の動作において規定されていることが好ましい。
【００４８】
画像解析部１１５は、制御部１１３から出力されたデコード済みの画像データ又は圧縮されていない画像データのヘッダ領域を基に、画像データから被写体人物の人物名（被写体人物名）の数を検出する。画像解析部１１５は、画像解析結果のパラメータとして、検出された被写体人物名の数を制御部１１３に出力する。
【００４９】
画像解析部１１５は、制御部１１３から出力されたデコード済みの画像データ若しくは圧縮されていない画像データのヘッダ領域、又は記憶部１１２に記憶されている画像データ管理情報１３０を基に、画像データに対するユーザのお気に入り度を検出する。画像解析部１１５は、画像解析結果のパラメータとして、検出されたお気に入り度を制御部１１３に出力する。
【００５０】
ＬＣＤ１１６は、画像表示装置１００の表示部として、操作部１１１により出力された画像選択信号に応じて制御部１１３から出力された画像データを表示する。
【００５１】
ＬＣＤバックライト１１７は、ユーザのキー押下等の操作に応じて操作部１１１により出力された操作信号を基に、制御部１１３の制御の下で、画像表示装置１００のユーザに対してＬＣＤ１１６の後方からＬＣＤ１１６を点灯する。
【００５２】
ＬＣＤバックライト１１７は、ユーザのキー押下等の操作に応じて、予め設定された初期点灯時間、ＬＣＤ１１６を点灯する。また、ＬＣＤバックライト１１７は、ユーザの画像表示の操作に応じて、予め設定された初期点灯時間又は制御部１１３により判定及び設定された再設定点灯時間、ＬＣＤ１１６を点灯する。
【００５３】
ＲＯＭ１１８は、画像表示装置１００における制御部１１３、画像デコード部１１４及び画像解析部１１５の各部の動作が予め規定された各プログラムを記憶している。なお、制御部１１３、画像デコード部１１４及び画像解析部１１５の各部は、ハードウェア又はソフトウェアで構成することが可能である。特に、これらの各部がソフトウェアにより構成される際には、画像表示装置１００に内蔵されているＣＰＵが当該各部の動作が予め規定されたプログラムをＲＯＭ１１８から読み出すことにより、当該各部が動作可能となる。
【００５４】
ＲＡＭ１１９は、制御部１１３、画像デコード部１１４及び画像解析部１１５の各部の動作における各々のワークメモリとして動作する。
【００５５】
次に、画像表示装置１００の動作を、図４〜図８を参照して説明する。図４は、実施の形態１の画像表示装置１００の第１の動作例を説明するフローチャートである。図５は、実施の形態１の画像表示装置１００の第２の動作例を説明するフローチャートである。図６は、実施の形態１の画像表示装置１００の第３の動作例を説明するフローチャートである。図７は、実施の形態１の画像表示装置１００の第４の動作例を説明するフローチャートである。図８は、実施の形態１の画像表示装置１００の第５の動作例を説明するフローチャートである。
【００５６】
（第１の動作例）
図４では、画像表示装置１００では、画像解析部１１５が画像データから人物の顔があるか否かを検出する。更に、制御部１１３は、この検出結果（解析結果）を基に、ＬＣＤバックライト１１７の点灯時間を判定する。
【００５７】
図４において、制御部１１３は、ＬＣＤバックライト１１７の点灯時間を初期点灯時間に設定（初期化）する（Ｓ１０１）。なお、ステップＳ１０１の前にＬＣＤバックライト１１７の点灯時間が既に初期点灯時間に設定されている場合には、ステップＳ１０１の動作を省略しても良い。
【００５８】
ステップＳ１０１の後、ユーザが記憶部１１２に記憶されている複数の画像データから特定の画像データをＬＣＤ１１６に表示するために選択した場合（Ｓ１０２、ＹＥＳ）、操作部１１１は、ユーザの操作に応じた画像選択信号を制御部１１３に出力する。
【００５９】
制御部１１３は、操作部１１１により出力された画像選択信号に応じて、画像選択信号に応じた画像データを記憶部１１２から読み出す（Ｓ１０３）。なお、記憶部１１２から画像データを読み出した場合に、画像データのヘッダ領域から画像データが圧縮されているか否かを検出する。制御部１１３は、画像データが圧縮されていると判定した場合に、画像データを画像デコード部１１４に出力する。
【００６０】
なお、図４〜図８の説明においては、ステップＳ１０３において読み出された画像データは圧縮されているとする。但し、上述した様に、ステップＳ１０３において読み出された画像データは圧縮されていなくても良い。
【００６１】
画像デコード部１１４は、制御部１１３から出力された画像データをデコード（伸長）し（Ｓ１０４）、デコードされた画像データを制御部１１３に出力する。
【００６２】
画像解析部１１５は、制御部１１３から出力されたデコード済みの画像データから被写体人物の顔を検出する（Ｓ１０５）。画像解析部１１５は、画像解析結果のパラメータとして、ステップＳ１０５において検出された被写体人物の顔の数を制御部１１３に出力する。
【００６３】
検出された被写体人物の顔の数が１つ以上である場合には（Ｓ１０６、ＹＥＳ）、制御部１１３は、図３の点灯時間再調整情報１４０を記憶部１１２から読み出す。制御部１１３は、点灯時間再調整情報１４０及び画像解析結果を基に、ＬＣＤバックライト１１７の点灯時間を判定する。
【００６４】
例えば、初期点灯時間が１０［秒］であって画像解析結果として被写体人物の顔が２つと検出された場合には、制御部１１３は、ＬＣＤバックライト１１７の点灯時間を、１０［秒］＋６［秒］（図３参照）＝１６［秒］と判定する。
【００６５】
更に、制御部１１３は、ＬＣＤバックライト１１７の点灯時間を、ステップＳ１０１において設定された初期点灯時間から、画像解析結果に応じて判定された点灯時間に再設定する（Ｓ１０７）。例えば、制御部１１３は、ＬＣＤバックライト１１７の点灯時間を１６［秒］に再設定する。
【００６６】
被写体人物の顔が全く検出されなかった場合（Ｓ１０６、ＮＯ）、制御部１１３は、ステップＳ１０１において設定された初期点灯時間を、ＬＣＤバックライト１１７の点灯時間に維持する。
【００６７】
その後、制御部１１３は、ステップＳ１０１において設定された初期点灯時間又はステップＳ１０７において再設定された点灯時間、ＬＣＤバックライト１１７を点灯する（Ｓ１０８）。これにより、図４のフローチャートは終了する。
【００６８】
（第２の動作例）
図５では、画像表示装置１００では、画像解析部１１５が画像データのヘッダ領域から画像データの被写体人物の名前（被写体人物名）があるか否かを検出する。更に、制御部１１３は、この検出結果（解析結果）を基に、ＬＣＤバックライト１１７の点灯時間を判定する。
【００６９】
第２の動作例では、第１の動作例と異なる内容について説明する。
【００７０】
図５において、画像解析部１１５は、ステップＳ１０３において制御部１１３から出力された画像データのヘッダ領域を基に、画像データから被写体人物の人物名（被写体人物名）の数を検出する（Ｓ１０５Ａ）。画像解析部１１５は、画像解析結果のパラメータとして、ステップＳ１０５Ａにおいて検出された被写体人物名の数を制御部１１３に出力する。
【００７１】
なお、図５のステップＳ１０５Ａにおいては、画像解析部１１５は、図４のステップＳ１０５と同様に、制御部１１３から出力されたデコード済みの画像データのヘッダ領域を基に、画像データから被写体人物の人物名（被写体人物名）の数を検出しても良い。
【００７２】
検出された被写体人物名の数が１つ以上である場合には（Ｓ１０６Ａ、ＹＥＳ）、制御部１１３は、図３の点灯時間再調整情報１４０を記憶部１１２から読み出す。制御部１１３は、点灯時間再調整情報１４０及び画像解析結果を基に、ＬＣＤバックライト１１７の点灯時間を判定する。
【００７３】
例えば、初期点灯時間が１０［秒］であって画像解析結果として被写体人物名の数が２つと検出された場合には、制御部１１３は、ＬＣＤバックライト１１７の点灯時間を、１０［秒］＋８［秒］（図３参照）＝１８［秒］と判定する。
【００７４】
更に、制御部１１３は、ＬＣＤバックライト１１７の点灯時間を、ステップＳ１０１において設定された初期点灯時間から、画像解析結果に応じて判定された点灯時間に再設定する（Ｓ１０７）。例えば、制御部１１３は、ＬＣＤバックライト１１７の点灯時間を１８［秒］に再設定する。
【００７５】
被写体人物名が全く検出されなかった場合（Ｓ１０６Ａ、ＮＯ）、制御部１１３は、ステップＳ１０１において設定された初期点灯時間を、ＬＣＤバックライト１１７の点灯時間に維持する。以降の処理は図４と同様のため、説明を省略する。これにより、図５のフローチャートは終了する。
【００７６】
（第３の動作例）
図６では、画像表示装置１００では、画像解析部１１５が画像データのヘッダ領域又は記憶部１１２に記憶されている画像データ管理情報１３０から画像データに対するユーザのお気に入り度がいくつであるかを検出する。更に、制御部１１３は、この検出結果（解析結果）を基に、ＬＣＤバックライト１１７の点灯時間を判定する。
【００７７】
第３の動作例では、第１の動作例と異なる内容について説明する。
【００７８】
図６において、画像解析部１１５は、ステップＳ１０３において制御部１１３から出力された画像データのヘッダ領域、又は記憶部１１２に記憶されている画像データ管理情報１３０を基に、画像データに対するユーザのお気に入り度を検出する（Ｓ１０５Ｂ）。画像解析部１１５は、画像解析結果のパラメータとして、ステップＳ１０５Ｂにおいて検出されたお気に入り度を制御部１１３に出力する。
【００７９】
なお、図６のステップＳ１０５Ｂにおいては、画像解析部１１５は、図４のステップＳ１０５と同様に、制御部１１３から出力されたデコード済みの画像データのヘッダ領域を基に、画像データに対するユーザのお気に入り度を検出しても良い。
【００８０】
検出されたお気に入り度が１以上である場合には（Ｓ１０６Ｂ、ＹＥＳ）、制御部１１３は、図３の点灯時間再調整情報１４０を記憶部１１２から読み出す。制御部１１３は、点灯時間再調整情報１４０及び画像解析結果を基に、ＬＣＤバックライト１１７の点灯時間を判定する。
【００８１】
例えば、初期点灯時間が１０［秒］であって画像解析結果としてお気に入り度が２と検出された場合には、制御部１１３は、ＬＣＤバックライト１１７の点灯時間を、１０［秒］＋４［秒］（図３参照）＝１４［秒］と判定する。
【００８２】
更に、制御部１１３は、ＬＣＤバックライト１１７の点灯時間を、ステップＳ１０１において設定された初期点灯時間から、画像解析結果に応じて判定された点灯時間に再設定する（Ｓ１０７）。例えば、制御部１１３は、ＬＣＤバックライト１１７の点灯時間を１４［秒］に再設定する。
【００８３】
お気に入り度が１未満、即ち０（ゼロ）である場合（Ｓ１０６Ｂ、ＮＯ）、制御部１１３は、ステップＳ１０１において設定された初期点灯時間を、ＬＣＤバックライト１１７の点灯時間に維持する。以降の処理は図４と同様のため、説明を省略する。これにより、図６のフローチャートは終了する。
【００８４】
（第４の動作例）
図７では、画像表示装置１００では、画像解析部１１５が画像データにおいて所定量のブレ度合い若しくはボケ度合いがあるか否かを検出する。更に、制御部１１３は、この検出結果（解析結果）を基に、ＬＣＤバックライト１１７の点灯時間を判定する。
【００８５】
第４の動作例では、第１の動作例と異なる内容について説明する。
【００８６】
図７において、画像解析部１１５は、制御部１１３から出力されたデコード済みの画像データにおいて所定量のブレ度合い若しくはボケ度合いがあるか否かを検出する（Ｓ１０５Ｃ）。画像解析部１１５は、画像解析結果のパラメータとして、ステップＳ１０５Ｃにおいて検出されたブレ度合い若しくはボケ度合いを制御部１１３に出力する。
【００８７】
検出されたブレ度合い若しくはボケ度合いが１つ以上である場合には（Ｓ１０６Ｃ、ＹＥＳ）、制御部１１３は、図３の点灯時間再調整情報１４０を記憶部１１２から読み出す。制御部１１３は、点灯時間再調整情報１４０及び画像解析結果を基に、ＬＣＤバックライト１１７の点灯時間を判定する。
【００８８】
例えば、初期点灯時間が１０［秒］であって画像解析結果としてブレ度合い若しくはボケ度合いが２と検出された場合には、制御部１１３は、ＬＣＤバックライト１１７の点灯時間を、１０［秒］−２［秒］（図３参照）＝８［秒］と判定する。なお、図３の点灯時間再調整情報１４０においては、ブレ度合い若しくはボケ度合いが１以上である場合にはいずれも初期点灯時間から数秒を減算する様に設定されている。しかしながら、上述した様に、初期点灯時間から減算されるのではなく初期点灯時間が維持される様に設定されても良い。
【００８９】
更に、制御部１１３は、ＬＣＤバックライト１１７の点灯時間を、ステップＳ１０１において設定された初期点灯時間から、画像解析結果に応じて判定された点灯時間に再設定する（Ｓ１０７）。例えば、制御部１１３は、ＬＣＤバックライト１１７の点灯時間を８［秒］に再設定する。
【００９０】
ブレ度合い若しくはボケ度合い全く検出されなかった場合（Ｓ１０６Ｃ、ＮＯ）、制御部１１３は、ステップＳ１０１において設定された初期点灯時間を、ＬＣＤバックライト１１７の点灯時間に維持する。以降の処理は図４と同様のため、説明を省略する。これにより、図７のフローチャートは終了する。
【００９１】
（第５の動作例）
図８では、画像表示装置１００では、画像解析部１１５が第１〜第４の全ての動作例で説明した画像解析を行う。更に、制御部１１３は、各検出結果（解析結果）を基に、ＬＣＤバックライト１１７の点灯時間を判定する。
【００９２】
第５の動作例では、第１の動作例と異なる内容について説明する。
【００９３】
図５において、画像解析部１１５は、ステップＳ１０３において制御部１１３から出力された画像データのヘッダ領域を基に、画像データから被写体人物の人物名（被写体人物名）の数を検出する（Ｓ１０５―Ｄ１）。更に、画像解析部１１５は、ステップＳ１０３において制御部１１３から出力された画像データのヘッダ領域、又は記憶部１１２に記憶されている画像データ管理情報１３０を基に、画像データに対するユーザのお気に入り度を検出する（Ｓ１０５−Ｄ１）。画像解析部１１５は、ステップＳ１０５−Ｄ１において検出された各画像解析結果の各パラメータを制御部１１３に出力する。
【００９４】
なお、図８のステップＳ１０５−Ｄ１においては、画像解析部１１５は、図４のステップＳ１０５と同様に、制御部１１３から出力されたデコード済みの画像データのヘッダ領域を基に、被写体人物の人物名（被写体人物名）の数、及び画像データに対するユーザのお気に入り度を検出しても良い。
【００９５】
制御部１１３は、ステップＳ１０５−Ｄ１において検出された各画像解析結果の各パラメータを取得した後、ステップＳ１０３において画像データが圧縮されていると判定している場合に、画像データを画像デコード部１１４に出力する。
【００９６】
画像デコード部１１４は、制御部１１３から出力された画像データをデコードし（Ｓ１０４）、デコードされた画像データを制御部１１３に出力する。なお、ステップＳ１０３において制御部１１３が画像データが圧縮されていないと判定している場合には、ステップＳ１０４の処理は省略しても良い。
【００９７】
画像解析部１１５は、制御部１１３から出力されたデコード済みの画像データから被写体人物の顔を検出する（Ｓ１０５−Ｄ２）。更に、画像解析部１１５は、制御部１１３から出力されたデコード済みの画像データにおいて所定量のブレ度合い若しくはボケ度合いがあるか否かを検出する（Ｓ１０５−Ｄ２）。
【００９８】
画像解析部１１５は、ステップＳ１０５−Ｄ２において検出された各画像解析結果の各パラメータを制御部１１３に出力する。
【００９９】
各画像解析結果のうち１つ又は複数の条件が合致する、即ち、各画像解析結果の各パラメータが１以上のものがあるとする（Ｓ１０６−Ｄ１、ＹＥＳ）。この場合、制御部１１３は、更に、複数の条件が合致するか否か、即ち、複数の画像解析結果の各パラメータが１以上のものがあるか否かを判定する（Ｓ１０６−Ｄ２）。
【０１００】
複数の条件が合致すると判定された場合（Ｓ１０６−Ｄ２、ＹＥＳ）、制御部１１３は、図３の点灯時間再調整情報１４０を記憶部１１２から読み出す。更に、制御部１１３は、ステップＳ１０５−Ｄ１及びステップＳ１０５−Ｄ２において検出された各パラメータを基に、点灯時間再調整情報１４０を基に定まる再調整後のＬＣＤバックライト１１７の点灯時間のうち最長の点灯時間を、ＬＣＤバックライト１１７の点灯時間として判定する。
【０１０１】
なお、制御部１１３は、最長の点灯時間ではなく、最短の点灯時間をＬＣＤバックライト１１７の点灯時間として判定しても良い。
【０１０２】
例えば、初期点灯時間が１０［秒］であって画像解析結果として顔の検出数が１且つお気に入り度が３と検出された場合には、制御部１１３は、ＬＣＤバックライト１１７の点灯時間を、１０［秒］＋６［秒］＝１６［秒］と判定する。点灯時間再調整情報１４０においては、顔の検出数が１の場合には初期点灯時間から＋３［秒］されるが、お気に入り度が３の場合には初期点灯時間から＋６［秒］される。制御部１１３は、初期点灯時間から再調整後のＬＣＤバックライト１１７の点灯時間のうち最長の点灯時間になる１６［秒］を、ＬＣＤバックライト１１７の点灯時間として判定する。
【０１０３】
更に、制御部１１３は、ＬＣＤバックライト１１７の点灯時間を、ステップＳ１０１において設定された初期点灯時間から、画像解析結果に応じて判定された点灯時間に再設定する（Ｓ１０７−Ｄ２）。例えば、制御部１１３は、ＬＣＤバックライト１１７の点灯時間を１６［秒］に再設定する。
【０１０４】
複数の条件が合致しないと判定された場合（Ｓ１０６−Ｄ２、ＮＯ）、制御部１１３は、図３の点灯時間再調整情報１４０を記憶部１１２から読み出す。更に、制御部１１３は、合致する１つの条件、即ち、１以上となる画像解析結果のパラメータ、及び点灯時間再調整情報１４０を基に、ＬＣＤバックライト１１７の点灯時間を判定する。
【０１０５】
例えば、初期点灯時間が１０［秒］であって画像解析結果としてお気に入り度が２と検出された場合には、制御部１１３は、ＬＣＤバックライト１１７の点灯時間を、１０［秒］＋４［秒］（図３参照）＝１４［秒］と判定する。
【０１０６】
更に、制御部１１３は、ＬＣＤバックライト１１７の点灯時間を、ステップＳ１０１において設定された初期点灯時間から、画像解析結果に応じて判定された点灯時間に再設定する（Ｓ１０７−Ｄ１）。例えば、制御部１１３は、ＬＣＤバックライト１１７の点灯時間を１４［秒］に再設定する。
【０１０７】
いずれの条件にも合致しなかった、即ち、全画像解析結果の各パラメータがいずれも１以上ではなかった場合（Ｓ１０６−Ｄ１、ＮＯ）、制御部１１３は、ステップＳ１０１において設定された初期点灯時間を、ＬＣＤバックライト１１７の点灯時間に維持する。以降の処理は図４と同様のため、説明を省略する。これにより、図８のフローチャートは終了する。
【０１０８】
以上により、画像表示装置１００は、表示対象としてユーザにより選択（操作）された画像データに対して所定の画像解析を行い、この画像解析結果のパラメータ及び点灯時間再調整情報を基に、ＬＣＤバックライト１１７の点灯時間を判定する。画像表示装置１００は、判定された点灯時間をＬＣＤバックライト１１７の点灯時間として再設定する。
【０１０９】
従って、画像表示装置１００によれば、画像データの内容に応じて、バックライトの点灯時間を動的に制御し、複数人で画像データを閲覧する場合等においてユーザに対する操作の利便性を向上することができる。
【０１１０】
即ち、画像表示装置１００によれば、画像の内容によって、ＬＣＤバックライト１１７の点灯時間を、短くしたり、長くしたりでき、省電力制御を行いながら、ユーザに対する操作の利便性を向上できる。例えば、省電力制御としては、一定時間でのＬＣＤバックライト１１７の微灯及び消灯機能を有効に設定することで実現可能であり、操作の利便性としては、例えば長く見る画像に対しては途中でＬＣＤバックライト１１７が消灯してしまい再度ユーザのキー操作によりＬＣＤバックライト１１７を点灯させていたが、その操作頻度が少なくなる。
【０１１１】
以上、図面を参照しながら各種の実施の形態について説明したが、本発明はかかる例に限定されないことは言うまでもない。当業者であれば、特許請求の範囲に記載された範疇内において、各種実施の形態の変更例または修正例、更に各種実施の形態の組み合わせ例に想到し得ることは明らかであり、それらについても当然に本発明の技術的範囲に属するものと了解される。
【０１１２】
なお、上述した実施の形態において、制御部１１３は、操作部１１１により他の画像データが選択された場合に、点灯時間再調整情報１４０及び画像解析結果を基に設定されたＬＣＤバックライト１１７の点灯時間を、初期点灯時間に初期化しても良い。
【０１１３】
なお、上述した第５の動作例において、ステップＳ１０５−Ｄ１及びＳ１０５−Ｄ２において検出された各パラメータのうち、所定のブレ度合い若しくはボケ度合いが検出された場合には、制御部は、検出されたブレ度合い若しくはボケ度合いを基に、ＬＣＤバックライト１１７の点灯時間を判定しても良い。この場合、例えば、初期点灯時間が１０［秒］であって画像解析結果として、顔の検出数が１、お気に入り度が３且つブレ度合いが２と検出された場合には、制御部１１３は、ＬＣＤバックライト１１７の点灯時間を、１０［秒］−２［秒］＝８［秒］と判定する。
【産業上の利用可能性】
【０１１４】
本発明は、画像データの内容に応じて、バックライトの点灯時間を動的に制御し、ユーザに対する操作の利便性を向上することが可能な画像表示装置、画像表示方法及びプログラムとして有用である。
【符号の説明】
【０１１５】
１００  携帯電話機
１１１  操作部
１１２  記憶部
１１３  制御部
１１４  画像デコード部
１１５  画像解析部
１１６  ＬＣＤ
１１７  ＬＣＤバックライト
１１８  ＲＯＭ
１１９  ＲＡＭ
１３０  画像データ管理情報
１４０  点灯時間再調整情報
【図１】
2014132282.tif 000003
【図２】
2014132282.tif 000004
【図３】
2014132282.tif 000005
【図４】
2014132282.tif 000006
【図５】
2014132282.tif 000007
【図６】
2014132282.tif 000008
【図７】
2014132282.tif 000009
【図８】
2014132282.tif 000010